【手続補正書】
【提出日】平成30年9月3日(2018.9.3)
【手続補正１】
【補正対象書類名】特許請求の範囲
【補正対象項目名】全文
【補正方法】変更
【補正の内容】
【特許請求の範囲】
【請求項１】
重量を有するライダーが乗るスケートボードであって、
前記スケートボードの前記ライダーを支持する上面と、前記上面に対向する底面と、前部と、前記前部に対向する後部と、を備える本体と、
前記本体の前記前部において前記スケートボードの前記本体の前記底面に取り付けられたフロントトラックであって、
主フロントアクスルと、
前記主フロントアクスルに回転可能に取り付けられた２つの主フロントウィールと、
前記主フロントアクスルに平行な少なくとも１つの補助フロントアクスルと、
前記少なくとも１つの補助フロントアクスルに回転可能に取り付けられた２つの補助フロントウィールと、を備える前記フロントトラックと、
前記本体の前記後部において前記スケートボードの前記本体の前記底面に取り付けられたリアトラックであって、
主リアアクスルと、
前記主リアアクスルに回転可能に取り付けられた２つの主リアウィールと、
前記主リアアクスルに平行な少なくとも１つの補助リアアクスルと、
前記少なくとも１つの補助リアアクスルに回転可能に取り付けられた２つの補助リアウィールと、を備える前記リアトラックと、
を備えており、
前記スケートボードが平坦面上で乗られるときに、前記ライダーの前記重量の少なくとも７５％が前記２つの主フロントウィールおよび前記２つの主リアウィールによって支持されるように、前記主フロントアクスルは、前記２つの主フロントウィールが前記補助フロントウィールよりも前記車体の前記上面からさらに遠くに延びるように配置されており、前記主リアアクスルは、前記２つの主リアウィールが前記補助リアウィールよりも前記車体の前記上面からさらに遠くに延びるように配置されている、
スケートボード。
【請求項２】
前記主フロントアクスルは、前記少なくとも１つの補助フロントアクスルの前方に位置しており、
前記少なくとも１つの補助リアアクスルは、前記主リアアクスルの前方に位置している、請求項１に記載のスケートボード。
【請求項３】
前記少なくとも１つの補助フロントアクスルは、前記主フロントアクスルの前方に位置しており、
前記主リアアクスルは、前記少なくとも１つの補助リアアクスルの前方に位置している、請求項１に記載のスケートボード。
【請求項４】
前記２つの主フロントウィールの各々は主フロントウィール幅を有し、前記２つの補助フロントウィールの各々は補助フロントウィール幅を有し、前記主フロントウィール幅は前記補助フロントウィール幅よりも大きく、
前記２つの主リアウィールの各々は主リアウィール幅を有し、前記２つの補助リアウィールの各々は補助リアウィール幅を有し、前記主リアウィール幅は前記補助リアウィール幅より大きい、請求項１から３のいずれか一項に記載のスケートボード。
【請求項５】
前記２つの主フロントウィールの各々は主フロントウィール径を有し、前記主フロントアクスルと前記少なくとも１つの補助フロントアクスル間のフロントアクスル間隔距離は、前記主フロントウィール径よりも小さく、
前記２つの主リアウィールの各々は主リアウィール径を有し、前記主リアアクスルと前記少なくとも１つの補助リアアクスル間のリアアクスル間隔距離は、前記主リアウィール径よりも小さい、請求項１から４のいずれか一項に記載のスケートボード。
【請求項６】
前記２つの補助フロントウィールの各々は補助フロントウィール径を有し、前記主フロントアクスルと前記少なくとも１つの補助フロントアクスル間のフロントアクスル間隔距離は、前記補助フロントウィール径よりも小さく、
前記２つの補助リアウィールの各々は補助リアウィール径を有し、前記主リアアクスルと前記少なくとも１つの補助リアアクスル間のリアアクスル間隔距離は、前記補助リアウィール径よりも小さい、請求項１から５のいずれか一項に記載のスケートボード。
【請求項７】
前記２つの補助フロントウィールは、前記２つの主フロントウィールよりも互いに近接して配置され、前記２つの補助フロントウィールは、前記２つの主フロントウィールの間に延びており、
前記２つの補助リアウィールは、前記２つの主リアウィールよりも互いに近接して配置され、前記２つの補助リアウィールは、前記２つの主リアウィールの間に延びている、請求項１から６のいずれか一項に記載のスケートボード。
【請求項８】
重量を有するライダーが乗るスケートボードであって、
前記スケートボードの前記ライダーを支持する上面と、前記上面に対向する底面と、前部と、前記前部に対向する後部と、を備える本体と、
前記本体の前記前部において前記スケートボードの前記本体の前記底面に取り付けられたフロントトラックであって、
主フロントアクスルと、
前記主フロントアクスルに回転可能に取り付けられた２つの主フロントウィールと、
前記主フロントアクスルに平行な少なくとも１つの補助フロントアクスルと、
前記少なくとも１つの補助フロントアクスルに回転可能に取り付けられた２つの補助フロントウィールと、を備える前記フロントトラックと、
前記本体の前記後部において前記スケートボードの前記本体の前記底面に取り付けられたリアトラックであって、
主リアアクスルと、
前記主リアアクスルに回転可能に取り付けられた２つの主リアウィールと、
前記主リアアクスルに平行な少なくとも１つの補助リアアクスルと、
前記少なくとも１つの補助リアアクスルに回転可能に取り付けられた２つの補助リアウィールと、を備える前記リアトラックと、
を備えており、
前記主フロントアクスルは、前記少なくとも１つの補助フロントアクスルの前方に位置しており、
前記少なくとも１つの補助リアアクスルは、前記主リアアクスルの前方に位置しており、
前記２つの主フロントウィールの各々は主フロントウィール幅を有し、前記２つの補助フロントウィールの各々は補助フロントウィール幅を有し、前記主フロントウィール幅は前記補助フロントウィール幅よりも大きく、
前記２つの主リアウィールの各々は主リアウィール幅を有し、前記２つの補助リアウィールの各々は補助リアウィール幅を有し、前記主リアウィール幅は前記補助リアウィール幅より大きく、
前記２つの主フロントウィールの各々は主フロントウィール径を有し、前記主フロントアクスルと前記少なくとも１つの補助フロントアクスル間のフロントアクスル間隔距離は、前記主フロントウィール径よりも小さく、
前記２つの主リアウィールの各々は主リアウィール径を有し、前記主リアアクスルと前記少なくとも１つの補助リアアクスル間のリアアクスル間隔距離は、前記主リアウィール径よりも小さく、
前記２つの補助フロントウィールの各々は補助フロントウィール径を有し、前記主フロントアクスルと前記少なくとも１つの補助フロントアクスル間の前記フロントアクスル間隔距離は、前記補助フロントウィール径よりも小さく、
前記２つの補助リアウィールの各々は補助リアウィール径を有し、前記主リアアクスルと前記少なくとも１つの補助リアアクスル間の前記リアアクスル間隔距離は、前記補助リアウィール径よりも小さく、
前記２つの補助フロントウィールは、前記２つの主フロントウィールよりも互いに近接して配置され、前記２つの補助フロントウィールは、前記２つの主フロントウィールの間に延びており、
前記２つの補助リアウィールは、前記２つの主リアウィールよりも互いに近接して配置され、前記２つの補助リアウィールは、前記２つの主リアウィールの間に延びている、
スケートボード。
【請求項９】
重量を有するライダーが乗るスケートボードであって、
前記スケートボードの前記ライダーを支持する上面と、前記上面に対向する底面と、前部と、前記前部に対向する後部と、を備える本体と、
前記本体の前記前部において前記スケートボードの前記本体の前記底面に取り付けられたフロントトラックであって、
主フロントアクスルと、
前記主フロントアクスルに回転可能に取り付けられた２つの主フロントウィールと、
前記主フロントアクスルに平行な少なくとも１つの補助フロントアクスルと、
前記少なくとも１つの補助フロントアクスルに回転可能に取り付けられた１つの補助フロントウィールと、を備える前記フロントトラックと、
前記本体の前記後部において前記スケートボードの前記本体の前記底面に取り付けられたリアトラックであって、
主リアアクスルと、
前記主リアアクスルに回転可能に取り付けられた２つの主リアウィールと、
前記主リアアクスルに平行な少なくとも１つの補助リアアクスルと、
前記少なくとも１つの補助リアアクスルに回転可能に取り付けられた１つの補助リアウィールと、を備える前記リアトラックと、
を備えており、
前記スケートボードが平坦面上で乗られるときに、前記ライダーの前記重量の少なくとも７５％が前記２つの主フロントウィールおよび前記２つの主リアウィールによって支持されるように、前記主フロントアクスルは、前記２つの主フロントウィールが前記補助フロントウィールよりも前記車体の前記上面からさらに遠くに延びるように配置されており、前記主リアアクスルは、前記２つの主リアウィールが前記補助リアウィールよりも前記車体の前記上面からさらに遠くに延びるように配置されている、
スケートボード。
【請求項１０】
前記主フロントアクスルは、前記少なくとも１つの補助フロントアクスルの前方に位置しており、
前記少なくとも１つの補助リアアクスルは、前記主リアアクスルの前方に位置している、請求項９に記載のスケートボード。
【請求項１１】
前記少なくとも１つの補助フロントアクスルは、前記主フロントアクスルの前方に位置しており、
前記主リアアクスルは、前記少なくとも１つの補助リアアクスルの前方に位置している、請求項９に記載のスケートボード。
【請求項１２】
前記２つの主フロントウィールの各々は主フロントウィール幅を有し、前記補助フロントウィールは補助フロントウィール幅を有し、前記主フロントウィール幅は前記補助フロントウィール幅よりも大きく、
前記２つの主リアウィールの各々は主リアウィール幅を有し、前記補助リアウィールは補助リアウィール幅を有し、前記主リアウィール幅は前記補助リアウィール幅より大きい、請求項９から１１のいずれか一項に記載のスケートボード。
【請求項１３】
前記２つの主フロントウィールの各々は主フロントウィール径を有し、前記主フロントアクスルと前記少なくとも１つの補助フロントアクスル間のフロントアクスル間隔距離は、前記主フロントウィール径よりも小さく、
前記２つの主リアウィールの各々は主リアウィール径を有し、前記主リアアクスルと前記少なくとも１つの補助リアアクスル間のリアアクスル間隔距離は、前記主リアウィール径よりも小さい、請求項９から１２のいずれか一項に記載のスケートボード。
【請求項１４】
前記補助フロントウィールは補助フロントウィール径を有し、前記主フロントアクスルと前記少なくとも１つの補助フロントアクスル間のフロントアクスル間隔距離は、前記補助フロントウィール径よりも小さく、
前記補助リアウィールは補助リアウィール径を有し、前記主リアアクスルと前記少なくとも１つの補助リアアクスル間のリアアクスル間隔距離は、前記補助リアウィール径よりも小さい、請求項９から１３のいずれか一項に記載のスケートボード。